(57)【要約】【課題】本発明は温度制御保温箱を開示した。【解決手段】箱本体を含み、前記箱本体の中には真空装置が設けられ、前記真空装置の右側と上側には熱循環装置が設けられ、前記真空装置の下側には吸気装置が設けられ、前記吸気装置の右側には制御装置が設けられ、前記吸気装置は前記真空装置の中の空きチャンバを吸気することができ、真空状態まで吸気した時に熱の流出を減少することができ、そして前記制御装置により切り替え、前記吸気装置が前記循環装置に連通しており、これにより保存チャンバの中で熱循環を行い、熱の流出を減少することと同時に一定程度に加熱し、温度制御し保温することを実現する。【選択図】図１
2020175954.tif 000002
【特許請求の範囲】
【請求項１】
正面視で、箱本体を含み、前記箱本体の中には真空装置が設けられ、前記真空装置の右側と上側には熱循環装置が設けられ、前記真空装置の下側には吸気装置が設けられ、前記吸気装置の右側には制御装置が設けられ、前記吸気装置は前記真空装置の中の空きチャンバを吸気することができ、真空状態まで吸気した時に熱の流出を減少することができ、そして前記制御装置により切り替え、前記吸気装置が前記循環装置に連通しており、これにより保存チャンバの中で熱循環を行い、熱の流出を減少することと同時に一定程度に加熱し、温度制御し保温することを実現し、前記真空装置は前記箱本体の中に設けられた回転チャンバを含み、前記回転チャンバの中には回転筒が回転できるように設けられ、前記回転筒の中には上方に開口した前記保存チャンバが設けられ、前記保存チャンバの下側には加熱チャンバが連通するように設けられ、前記加熱チャンバの中には加熱板が固定的に設けられ、前記回転筒の中において前記保存チャンバの外円周側に位置するところには環状の前記空きチャンバが設けられ、前記空きチャンバの下側一端には下方に開口した吸気孔が連通するように設けられ、前記回転チャンバの下壁左端には前記吸気孔と互いに連通している吸気管連通するように設けられ、前記回転チャンバの上側には開口チャンバが連通するように設けられ、前記開口チャンバの上側には上方に開口した密封チャンバが連通するように設けられ、
前記密封チャンバが開けられた状態では、前記吸気孔と前記吸気管とを連通して吸気を行うことを特徴とする温度制御保温箱。
【請求項２】
前記循環装置は前記密封チャンバの中に反転できるように設けられた密封板を含み、前記密封板の右端が前記密封チャンバの前後内壁の間に回転できるように連結され、前記密封板の中には流動チャンバが設けられ、前記流動チャンバの下壁には下方に開口した通気孔が連通するように設けられ、前記密封チャンバの下壁の右端には前記流動チャンバと連通している管が連通するように設けられ、前記密封板の回転軸の軸芯の下端には下方に開口した引っ掛かり溝が設けられ、前記密封チャンバの下壁には前記引っ掛かり溝に対応している引っ掛かりロッドチャンバが連通するように設けられ、前記引っ掛かりロッドチャンバの中には引っ掛かりロッドがスライドできるように設けられ、前記引っ掛かりロッドの下端と前記引っ掛かりロッドチャンバの下壁との間には引張バネが固定的に連結され、前記引っ掛かりロッドの下端には左方に開口した凹溝が設けられ、前記引っ掛かりロッドチャンバの左側には前記管を貫いた押しロッドチャンバが連通するように設けられ、前記押しロッドチャンバの中には前記管を貫いた押しロッドがスライドできるように設けられ、前記押しロッドの中には抜き穴が上下に貫通するように設けられ、前記押しロッドの左側には前記押しロッドチャンバの中で回転できるカムが当接するように設けられ、
前記押しロッドを右に移動して前記抜き穴と前記管とを連通し、前記引っ掛かりロッドが上へ移動し前記引っ掛かり溝の中に入ることを特徴とする請求項１に記載の温度制御保温箱。
【請求項３】
前記吸気装置は前記加熱チャンバの下側に設けられた切り替えチャンバを含み、前記吸気管が前記切り替えチャンバの左壁に連通しており、前記管が前記切り替えチャンバの右壁に連通しており、前記切り替えチャンバの中には回転ブロックが回転できるように設けられ、前記回転ブロックの中にはタービンチャンバが設けられ、前記タービンチャンバの右壁の中には動力モーターが固定的に設けられ、前記動力モーターの左端には回転軸が伝動できるように連結され、前記回転軸にはタービン羽根が固定的に設けられ、前記タービンチャンバの下側には前記吸気管又は前記管と連通することができる下通路が連通するように設けられ、前記回転ブロックの上端には回転柱が固定的に連結され、前記回転柱の上端が前記回転筒の下端に固定的に連結され、前記回転柱には前記加熱チャンバと前記タービンチャンバとを連通した上通路が上下に貫通するように設けられ、前記回転柱の外円周面には平歯リングが固定的に設けられ、
前記回転柱が回転し前記回転筒と前記回転ブロックとを回転連動させ、前記吸気孔の密封状態と前記下通路の連通状態を切り替えることを特徴とする請求項１に記載の温度制御保温箱。
【請求項４】
前記制御装置は前記切り替えチャンバのうち上側内壁に近接した右壁の中に連通するように設けられた制御チャンバを含み、前記制御チャンバの下壁の中には制御モーターが固定的に設けられ、前記制御モーターの上端には前記平歯リングと噛合した駆動平歯車が伝動できるように連結され、前記駆動平歯車の右端には従動平歯車が噛合できるように設けられ、前記従動平歯車の下端には伝動軸が固定的に連結され、前記伝動軸の下端が前記カムの軸芯のところに固定的に連結され、
前記制御モーターにより前記回転ブロックと、前記回転筒と、前記カムとを制御することを特徴とする請求項１に記載の温度制御保温箱。
【発明の詳細な説明】
【技術分野】
【０００１】
本発明は収納パッケージ技術分野を取り上げて、具体的には温度制御保温箱である。
【背景技術】
【０００２】
商品をパッケージする時、特殊性の持つ商品を保温する必要があるが、現有の保温パッケージ箱は断熱層を使って保温を行い、しかし長時間の運ぶ途中に熱が流出しないことはないため、保温効果が低くなり、従って、温度制御保温箱が必要とされ、本装置は真空層を使って断熱し、同時に加熱によって温度制御と保温とを行い、保温効果がより良く、同時に加熱に使うエネルギーも少ない。
【先行技術文献】
【特許文献】
【０００３】
【特許文献１】中国特許出願公開第１０９３５３６９７号明細書
【発明の概要】
【発明が解決しようとする課題】
【０００４】
本発明の目的は温度制御保温箱を提供し、それは上記の現在の技術中の問題を解決できる。
【課題を解決するための手段】
【０００５】
本発明の温度制御保温箱は、箱本体を含み、前記箱本体の中には真空装置が設けられ、前記真空装置の右側と上側には熱循環装置が設けられ、前記真空装置の下側には吸気装置が設けられ、前記吸気装置の右側には制御装置が設けられ、前記吸気装置は前記真空装置の中の空きチャンバを吸気することができ、真空状態まで吸気した時に熱の流出を減少することができ、そして前記制御装置により切り替え、前記吸気装置が前記循環装置に連通しており、これにより保存チャンバの中で熱循環を行い、熱の流出を減少することと同時に一定程度に加熱し、温度制御し保温することを実現し、前記真空装置は前記箱本体の中に設けられた回転チャンバを含み、前記回転チャンバの中には回転筒が回転できるように設けられ、前記回転筒の中には上方に開口した前記保存チャンバが設けられ、前記保存チャンバの下側には加熱チャンバが連通するように設けられ、前記加熱チャンバの中には加熱板が固定的に設けられ、前記回転筒の中において前記保存チャンバの外円周側に位置するところには環状の前記空きチャンバが設けられ、前記空きチャンバの下側一端には下方に開口した吸気孔が連通するように設けられ、前記回転チャンバの下壁左端には前記吸気孔と互いに連通している吸気管連通するように設けられ、前記回転チャンバの上側には開口チャンバが連通するように設けられ、前記開口チャンバの上側には上方に開口した密封チャンバが連通するように設けられ、
前記密封チャンバが開けられた状態では、前記吸気孔と前記吸気管とを連通して吸気を行う。
【０００６】
更の技術プラン、前記循環装置は前記密封チャンバの中に反転できるように設けられた密封板を含み、前記密封板の右端が前記密封チャンバの前後内壁の間に回転できるように連結され、前記密封板の中には流動チャンバが設けられ、前記流動チャンバの下壁には下方に開口した通気孔が連通するように設けられ、前記密封チャンバの下壁の右端には前記流動チャンバと連通している管が連通するように設けられ、前記密封板の回転軸の軸芯の下端には下方に開口した引っ掛かり溝が設けられ、前記密封チャンバの下壁には前記引っ掛かり溝に対応している引っ掛かりロッドチャンバが連通するように設けられ、前記引っ掛かりロッドチャンバの中には引っ掛かりロッドがスライドできるように設けられ、前記引っ掛かりロッドの下端と前記引っ掛かりロッドチャンバの下壁との間には引張バネが固定的に連結され、前記引っ掛かりロッドの下端には左方に開口した凹溝が設けられ、前記引っ掛かりロッドチャンバの左側には前記管を貫いた押しロッドチャンバが連通するように設けられ、前記押しロッドチャンバの中には前記管を貫いた押しロッドがスライドできるように設けられ、前記押しロッドの中には抜き穴が上下に貫通するように設けられ、前記押しロッドの左側には前記押しロッドチャンバの中で回転できるカムが当接するように設けられ、
前記押しロッドを右に移動して前記抜き穴と前記管とを連通し、前記引っ掛かりロッドが上へ移動し前記引っ掛かり溝の中に入る。
【０００７】
更の技術プラン、前記吸気装置は前記加熱チャンバの下側に設けられた切り替えチャンバを含み、前記吸気管が前記切り替えチャンバの左壁に連通しており、前記管が前記切り替えチャンバの右壁に連通しており、前記切り替えチャンバの中には回転ブロックが回転できるように設けられ、前記回転ブロックの中にはタービンチャンバが設けられ、前記タービンチャンバの右壁の中には動力モーターが固定的に設けられ、前記動力モーターの左端には回転軸が伝動できるように連結され、前記回転軸にはタービン羽根が固定的に設けられ、前記タービンチャンバの下側には前記吸気管又は前記管と連通することができる下通路が連通するように設けられ、前記回転ブロックの上端には回転柱が固定的に連結され、前記回転柱の上端が前記回転筒の下端に固定的に連結され、前記回転柱には前記加熱チャンバと前記タービンチャンバとを連通した上通路が上下に貫通するように設けられ、前記回転柱の外円周面には平歯リングが固定的に設けられ、
前記回転柱が回転し前記回転筒と前記回転ブロックとを回転連動させ、前記吸気孔の密封状態と前記下通路の連通状態を切り替える。
【０００８】
更の技術プラン、前記制御装置は前記切り替えチャンバのうち上側内壁に近接した右壁の中に連通するように設けられた制御チャンバを含み、前記制御チャンバの下壁の中には制御モーターが固定的に設けられ、前記制御モーターの上端には前記平歯リングと噛合した駆動平歯車が伝動できるように連結され、前記駆動平歯車の右端には従動平歯車が噛合できるように設けられ、前記従動平歯車の下端には伝動軸が固定的に連結され、前記伝動軸の下端が前記カムの軸芯のところに固定的に連結され、
前記制御モーターにより前記回転ブロックと、前記回転筒と、前記カムとを制御する。
【発明の効果】
【０００９】
本発明は構造が簡単で操作が便利であり、まず本装置によって壁の中を真空状態にし、同時に加熱により温度制御と保温とを行うことができ、熱の流出を減少し、エネルギーの浪費を減少し、保温効果も良い。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の温度制御保温箱の内部全体構成略図
【図２】図２は図１のＡの拡大略図
【図３】図３は図１のＢの拡大略図
【発明を実施するための形態】
【００１２】
図１〜３を参照し、本発明の温度制御保温箱は、箱本体１１を含み、前記箱本体１１の中には真空装置１０１が設けられ、前記真空装置１０１の右側と上側には熱循環装置１０２が設けられ、前記真空装置１０１の下側には吸気装置１０３が設けられ、前記吸気装置１０３の右側には制御装置１０４が設けられ、前記吸気装置１０３は前記真空装置１０１の中の空きチャンバ１２を吸気することができ、真空状態まで吸気した時に熱の流出を減少することができ、そして前記制御装置１０４により切り替え、前記吸気装置１０３が前記循環装置１０２に連通しており、これにより保存チャンバ１３の中で熱循環を行い、熱の流出を減少することと同時に一定程度に加熱し、温度制御し保温することを実現し、前記真空装置１０１は前記箱本体１１の中に設けられた回転チャンバ１４を含み、前記回転チャンバ１４の中には回転筒１５が回転できるように設けられ、前記回転筒１５の中には上方に開口した前記保存チャンバ１３が設けられ、前記保存チャンバ１３の下側には加熱チャンバ１６が連通するように設けられ、前記加熱チャンバ１６の中には加熱板１７が固定的に設けられ、前記回転筒１５の中において前記保存チャンバ１３の外円周側に位置するところには環状の前記空きチャンバ１２が設けられ、前記空きチャンバ１２の下側一端には下方に開口した吸気孔１８が連通するように設けられ、前記回転チャンバ１４の下壁左端には前記吸気孔１８と互いに連通している吸気管１９連通するように設けられ、前記回転チャンバ１４の上側には開口チャンバ２０が連通するように設けられ、前記開口チャンバ２０の上側には上方に開口した密封チャンバ２１が連通するように設けられ、
前記密封チャンバ２１が開けられた状態では、前記吸気孔１８と前記吸気管１９とを連通して吸気を行う。
【００１３】
有益的には、前記循環装置１０２は前記密封チャンバ２１の中に反転できるように設けられた密封板２２を含み、前記密封板２２の右端が前記密封チャンバ２１の前後内壁の間に回転できるように連結され、前記密封板２２の中には流動チャンバ２３が設けられ、前記流動チャンバ２３の下壁には下方に開口した通気孔２４が連通するように設けられ、前記密封チャンバ２１の下壁の右端には前記流動チャンバ２３と連通している管２５が連通するように設けられ、前記密封板２２の回転軸の軸芯の下端には下方に開口した引っ掛かり溝２６が設けられ、前記密封チャンバ２１の下壁には前記引っ掛かり溝２６に対応している引っ掛かりロッドチャンバ２７が連通するように設けられ、前記引っ掛かりロッドチャンバ２７の中には引っ掛かりロッド２８がスライドできるように設けられ、前記引っ掛かりロッド２８の下端と前記引っ掛かりロッドチャンバ２７の下壁との間には引張バネ２９が固定的に連結され、前記引っ掛かりロッド２８の下端には左方に開口した凹溝３０が設けられ、前記引っ掛かりロッドチャンバ２７の左側には前記管２５を貫いた押しロッドチャンバ３１が連通するように設けられ、前記押しロッドチャンバ３１の中には前記管２５を貫いた押しロッド３２がスライドできるように設けられ、前記押しロッド３２の中には抜き穴３３が上下に貫通するように設けられ、前記押しロッド３２の左側には前記押しロッドチャンバ３１の中で回転できるカム３４が当接するように設けられ、
前記押しロッド３２を右に移動して前記抜き穴３３と前記管２５とを連通し、前記引っ掛かりロッド２８が上へ移動し前記引っ掛かり溝２６の中に入る。
【００１４】
有益的には、前記吸気装置１０３は前記加熱チャンバ１６の下側に設けられた切り替えチャンバ３５を含み、前記吸気管１９が前記切り替えチャンバ３５の左壁に連通しており、前記管２５が前記切り替えチャンバ３５の右壁に連通しており、前記切り替えチャンバ３５の中には回転ブロック３６が回転できるように設けられ、前記回転ブロック３６の中にはタービンチャンバ３７が設けられ、前記タービンチャンバ３７の右壁の中には動力モーター３８が固定的に設けられ、前記動力モーター３８の左端には回転軸３９が伝動できるように連結され、前記回転軸３９にはタービン羽根４０が固定的に設けられ、前記タービンチャンバ３７の下側には前記吸気管１９又は前記管２５と連通することができる下通路４１が連通するように設けられ、前記回転ブロック３６の上端には回転柱４２が固定的に連結され、前記回転柱４２の上端が前記回転筒１５の下端に固定的に連結され、前記回転柱４２には前記加熱チャンバ１６と前記タービンチャンバ３７とを連通した上通路４３が上下に貫通するように設けられ、前記回転柱４２の外円周面には平歯リング４４が固定的に設けられ、
前記回転柱４２が回転し前記回転筒１５と前記回転ブロック３６とを回転連動させ、前記吸気孔１８の密封状態と前記下通路４１の連通状態を切り替える。
【００１５】
有益的には、前記制御装置１０４は前記切り替えチャンバ３５のうち上側内壁に近接した右壁の中に連通するように設けられた制御チャンバ４５を含み、前記制御チャンバ４５の下壁の中には制御モーター４６が固定的に設けられ、前記制御モーター４６の上端には前記平歯リング４４と噛合した駆動平歯車４７が伝動できるように連結され、前記駆動平歯車４７の右端には従動平歯車４８が噛合できるように設けられ、前記従動平歯車４８の下端には伝動軸４９が固定的に連結され、前記伝動軸４９の下端が前記カム３４の軸芯のところに固定的に連結され、
前記制御モーター４６により前記回転ブロック３６と、前記回転筒１５と、前記カム３４とを制御する。
【００１６】
初期状態では、下通路４１と吸気管１９とが連通しており、密封板２２が密封チャンバ２１を密封している。
【００１７】
保温する時、密封板２２を反転させて開け、物を保存チャンバ１３の中に置き、密封板２２を密封し、動力モーター３８を始動し回転軸３９を回転連動させ、タービン羽根４０を快速に回転連動させ、この時空きチャンバ１２の中の気体が吸気孔１８と、吸気管１９と、下通路４１とを経由して吸い出され、吸気孔１８の中が真空になり、この時制御モーター４６が始動し駆動平歯車４７を回転連動させ、歯車噛合により平歯リング４４と従動平歯車４８とを回転連動させ、平歯リング４４が回転柱４２により回転筒１５と回転ブロック３６とを百八十度に回転連動させ、この時吸気孔１８の下側が密封され、下通路４１と管２５とが連通し、この時従動平歯車４８が伝動軸４９によりカム３４を回転連動させ、且つ押しロッド３２を押し動かし右に移動させ、この時抜き穴３３と管２５とが連通し、押しロッド３２の右端が凹溝３０の中にスライドし、且つ引っ掛かりロッド２８を上昇連動させ、引っ掛かりロッド２８の上端が引っ掛かり溝２６に伸びて引っ掛かり、この時動力モーター３８が始動しタービン羽根４０を回転連動させ、加熱板１７により加熱し、保存チャンバ１３の中の空気に対し熱循環を行い、密封板２２がまだ密封されていない場合は循環装置１０２を起動できない。
【００１８】
本発明の有益効果は：本発明は構造が簡単で操作が便利であり、まず本装置によって壁の中を真空状態にし、同時に加熱により温度制御と保温とを行うことができ、熱の流出を減少し、エネルギーの浪費を減少し、保温効果も良い。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175954.tif 000003
【図２】
2020175954.tif 000004
【図３】
2020175954.tif 000005
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
正面視で、箱本体を含み、前記箱本体の中には真空装置が設けられ、前記真空装置の右側と上側には熱循環装置が設けられ、前記真空装置の下側には吸気装置が設けられ、前記吸気装置の右側には制御装置が設けられ、前記吸気装置は前記真空装置の中の空きチャンバを吸気することができ、真空状態まで吸気した時に熱の流出を減少することができ、そして前記制御装置により切り替え、前記吸気装置が前記循環装置に連通しており、これにより保存チャンバの中で熱循環を行い、熱の流出を減少することと同時に一定程度に加熱し、温度制御し保温することを実現し、前記真空装置は前記箱本体の中に設けられた回転チャンバを含み、前記回転チャンバの中には回転筒が回転できるように設けられ、前記回転筒の中には上方に開口した前記保存チャンバが設けられ、前記保存チャンバの下側には加熱チャンバが連通するように設けられ、前記加熱チャンバの中には加熱板が固定的に設けられ、前記回転筒の中において前記保存チャンバの外円周側に位置するところには環状の前記空きチャンバが設けられ、前記空きチャンバの下側一端には下方に開口した吸気孔が連通するように設けられ、前記回転チャンバの下壁左端には前記吸気孔と互いに連通している吸気管が連通するように設けられ、前記回転チャンバの上側には開口チャンバが連通するように設けられ、前記開口チャンバの上側には上方に開口した密封チャンバが連通するように設けられ、
前記密封チャンバが開けられた状態では、前記吸気孔と前記吸気管とを連通して吸気を行うことを特徴とする温度制御保温箱。
【請求項２】
前記循環装置は前記密封チャンバの中に反転できるように設けられた密封板を含み、前記密封板の右端が前記密封チャンバの前後内壁の間に回転できるように連結され、前記密封板の中には流動チャンバが設けられ、前記流動チャンバの下壁には下方に開口した通気孔が連通するように設けられ、前記密封チャンバの下壁の右端には前記流動チャンバと連通している管が連通するように設けられ、前記密封板の回転軸の軸芯の下端には下方に開口した引っ掛かり溝が設けられ、前記密封チャンバの下壁には前記引っ掛かり溝に対応している引っ掛かりロッドチャンバが連通するように設けられ、前記引っ掛かりロッドチャンバの中には引っ掛かりロッドがスライドできるように設けられ、前記引っ掛かりロッドの下端と前記引っ掛かりロッドチャンバの下壁との間には引張バネが固定的に連結され、前記引っ掛かりロッドの下端には左方に開口した凹溝が設けられ、前記引っ掛かりロッドチャンバの左側には前記管を貫いた押しロッドチャンバが連通するように設けられ、前記押しロッドチャンバの中には前記管を貫いた押しロッドがスライドできるように設けられ、前記押しロッドの中には抜き穴が上下に貫通するように設けられ、前記押しロッドの左側には前記押しロッドチャンバの中で回転できるカムが当接するように設けられ、
前記押しロッドを右に移動して前記抜き穴と前記管とを連通し、前記引っ掛かりロッドが上へ移動し前記引っ掛かり溝の中に入ることを特徴とする請求項１に記載の温度制御保温箱。
【請求項３】
前記吸気装置は前記加熱チャンバの下側に設けられた切り替えチャンバを含み、前記吸気管が前記切り替えチャンバの左壁に連通しており、前記管が前記切り替えチャンバの右壁に連通しており、前記切り替えチャンバの中には回転ブロックが回転できるように設けられ、前記回転ブロックの中にはタービンチャンバが設けられ、前記タービンチャンバの右壁の中には動力モーターが固定的に設けられ、前記動力モーターの左端には回転軸が伝動できるように連結され、前記回転軸にはタービン羽根が固定的に設けられ、前記タービンチャンバの下側には前記吸気管又は前記管と連通することができる下通路が連通するように設けられ、前記回転ブロックの上端には回転柱が固定的に連結され、前記回転柱の上端が前記回転筒の下端に固定的に連結され、前記回転柱には前記加熱チャンバと前記タービンチャンバとを連通した上通路が上下に貫通するように設けられ、前記回転柱の外円周面には平歯リングが固定的に設けられ、
前記回転柱が回転し前記回転筒と前記回転ブロックとを回転連動させ、前記吸気孔の密封状態と前記下通路の連通状態を切り替えることを特徴とする請求項２に記載の温度制御保温箱。
【請求項４】
前記制御装置は前記切り替えチャンバのうち上側内壁に近接した右壁の中に連通するように設けられた制御チャンバを含み、前記制御チャンバの下壁の中には制御モーターが固定的に設けられ、前記制御モーターの上端には前記平歯リングと噛合した駆動平歯車が伝動できるように連結され、前記駆動平歯車の右端には従動平歯車が噛合できるように設けられ、前記従動平歯車の下端には伝動軸が固定的に連結され、前記伝動軸の下端が前記カムの軸芯のところに固定的に連結され、
前記制御モーターにより前記回転ブロックと、前記回転筒と、前記カムとを制御することを特徴とする請求項３に記載の温度制御保温箱。
【手続補正２】
【補正対象書類名】明細書
【補正対象項目名】全文
【補正方法】変更
【補正の内容】
【発明の詳細な説明】
【技術分野】
【０００１】
本発明は収納パッケージ技術分野を取り上げて、具体的には温度制御保温箱である。
【背景技術】
【０００２】
商品をパッケージする時、特殊性の持つ商品を保温する必要があるが、現有の保温パッケージ箱は断熱層を使って保温を行い、しかし長時間の運ぶ途中に熱が流出しないことはないため、保温効果が低くなり、従って、温度制御保温箱が必要とされ、本装置は真空層を使って断熱し、同時に加熱によって温度制御と保温とを行い、保温効果がより良く、同時に加熱に使うエネルギーも少ない。
【先行技術文献】
【特許文献】
【０００３】
【特許文献１】中国特許出願公開第１０９３５３６９７号明細書
【発明の概要】
【発明が解決しようとする課題】
【０００４】
本発明の目的は温度制御保温箱を提供し、それは上記の現在の技術中の問題を解決できる。
【課題を解決するための手段】
【０００５】
本発明の温度制御保温箱は、箱本体を含み、前記箱本体の中には真空装置が設けられ、前記真空装置の右側と上側には熱循環装置が設けられ、前記真空装置の下側には吸気装置が設けられ、前記吸気装置の右側には制御装置が設けられ、前記吸気装置は前記真空装置の中の空きチャンバを吸気することができ、真空状態まで吸気した時に熱の流出を減少することができ、そして前記制御装置により切り替え、前記吸気装置が前記循環装置に連通しており、これにより保存チャンバの中で熱循環を行い、熱の流出を減少することと同時に一定程度に加熱し、温度制御し保温することを実現し、前記真空装置は前記箱本体の中に設けられた回転チャンバを含み、前記回転チャンバの中には回転筒が回転できるように設けられ、前記回転筒の中には上方に開口した前記保存チャンバが設けられ、前記保存チャンバの下側には加熱チャンバが連通するように設けられ、前記加熱チャンバの中には加熱板が固定的に設けられ、前記回転筒の中において前記保存チャンバの外円周側に位置するところには環状の前記空きチャンバが設けられ、前記空きチャンバの下側一端には下方に開口した吸気孔が連通するように設けられ、前記回転チャンバの下壁左端には前記吸気孔と互いに連通している吸気管が連通するように設けられ、前記回転チャンバの上側には開口チャンバが連通するように設けられ、前記開口チャンバの上側には上方に開口した密封チャンバが連通するように設けられ、
前記密封チャンバが開けられた状態では、前記吸気孔と前記吸気管とを連通して吸気を行う。
【０００６】
更の技術プラン、前記循環装置は前記密封チャンバの中に反転できるように設けられた密封板を含み、前記密封板の右端が前記密封チャンバの前後内壁の間に回転できるように連結され、前記密封板の中には流動チャンバが設けられ、前記流動チャンバの下壁には下方に開口した通気孔が連通するように設けられ、前記密封チャンバの下壁の右端には前記流動チャンバと連通している管が連通するように設けられ、前記密封板の回転軸の軸芯の下端には下方に開口した引っ掛かり溝が設けられ、前記密封チャンバの下壁には前記引っ掛かり溝に対応している引っ掛かりロッドチャンバが連通するように設けられ、前記引っ掛かりロッドチャンバの中には引っ掛かりロッドがスライドできるように設けられ、前記引っ掛かりロッドの下端と前記引っ掛かりロッドチャンバの下壁との間には引張バネが固定的に連結され、前記引っ掛かりロッドの下端には左方に開口した凹溝が設けられ、前記引っ掛かりロッドチャンバの左側には前記管を貫いた押しロッドチャンバが連通するように設けられ、前記押しロッドチャンバの中には前記管を貫いた押しロッドがスライドできるように設けられ、前記押しロッドの中には抜き穴が上下に貫通するように設けられ、前記押しロッドの左側には前記押しロッドチャンバの中で回転できるカムが当接するように設けられ、
前記押しロッドを右に移動して前記抜き穴と前記管とを連通し、前記引っ掛かりロッドが上へ移動し前記引っ掛かり溝の中に入る。
【０００７】
更の技術プラン、前記吸気装置は前記加熱チャンバの下側に設けられた切り替えチャンバを含み、前記吸気管が前記切り替えチャンバの左壁に連通しており、前記管が前記切り替えチャンバの右壁に連通しており、前記切り替えチャンバの中には回転ブロックが回転できるように設けられ、前記回転ブロックの中にはタービンチャンバが設けられ、前記タービンチャンバの右壁の中には動力モーターが固定的に設けられ、前記動力モーターの左端には回転軸が伝動できるように連結され、前記回転軸にはタービン羽根が固定的に設けられ、前記タービンチャンバの下側には前記吸気管又は前記管と連通することができる下通路が連通するように設けられ、前記回転ブロックの上端には回転柱が固定的に連結され、前記回転柱の上端が前記回転筒の下端に固定的に連結され、前記回転柱には前記加熱チャンバと前記タービンチャンバとを連通した上通路が上下に貫通するように設けられ、前記回転柱の外円周面には平歯リングが固定的に設けられ、
前記回転柱が回転し前記回転筒と前記回転ブロックとを回転連動させ、前記吸気孔の密封状態と前記下通路の連通状態を切り替える。
【０００８】
更の技術プラン、前記制御装置は前記切り替えチャンバのうち上側内壁に近接した右壁の中に連通するように設けられた制御チャンバを含み、前記制御チャンバの下壁の中には制御モーターが固定的に設けられ、前記制御モーターの上端には前記平歯リングと噛合した駆動平歯車が伝動できるように連結され、前記駆動平歯車の右端には従動平歯車が噛合できるように設けられ、前記従動平歯車の下端には伝動軸が固定的に連結され、前記伝動軸の下端が前記カムの軸芯のところに固定的に連結され、
前記制御モーターにより前記回転ブロックと、前記回転筒と、前記カムとを制御する。
【発明の効果】
【０００９】
本発明は構造が簡単で操作が便利であり、まず本装置によって壁の中を真空状態にし、同時に加熱により温度制御と保温とを行うことができ、熱の流出を減少し、エネルギーの浪費を減少し、保温効果も良い。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の温度制御保温箱の内部全体構成略図
【図２】図２は図１のＡの拡大略図
【図３】図３は図１のＢの拡大略図
【発明を実施するための形態】
【００１２】
図１〜３を参照し、本発明の温度制御保温箱は、箱本体１１を含み、前記箱本体１１の中には真空装置１０１が設けられ、前記真空装置１０１の右側と上側には熱循環装置１０２が設けられ、前記真空装置１０１の下側には吸気装置１０３が設けられ、前記吸気装置１０３の右側には制御装置１０４が設けられ、前記吸気装置１０３は前記真空装置１０１の中の空きチャンバ１２を吸気することができ、真空状態まで吸気した時に熱の流出を減少することができ、そして前記制御装置１０４により切り替え、前記吸気装置１０３が前記循環装置１０２に連通しており、これにより保存チャンバ１３の中で熱循環を行い、熱の流出を減少することと同時に一定程度に加熱し、温度制御し保温することを実現し、前記真空装置１０１は前記箱本体１１の中に設けられた回転チャンバ１４を含み、前記回転チャンバ１４の中には回転筒１５が回転できるように設けられ、前記回転筒１５の中には上方に開口した前記保存チャンバ１３が設けられ、前記保存チャンバ１３の下側には加熱チャンバ１６が連通するように設けられ、前記加熱チャンバ１６の中には加熱板１７が固定的に設けられ、前記回転筒１５の中において前記保存チャンバ１３の外円周側に位置するところには環状の前記空きチャンバ１２が設けられ、前記空きチャンバ１２の下側一端には下方に開口した吸気孔１８が連通するように設けられ、前記回転チャンバ１４の下壁左端には前記吸気孔１８と互いに連通している吸気管１９が連通するように設けられ、前記回転チャンバ１４の上側には開口チャンバ２０が連通するように設けられ、前記開口チャンバ２０の上側には上方に開口した密封チャンバ２１が連通するように設けられ、
前記密封チャンバ２１が開けられた状態では、前記吸気孔１８と前記吸気管１９とを連通して吸気を行う。
【００１３】
有益的には、前記循環装置１０２は前記密封チャンバ２１の中に反転できるように設けられた密封板２２を含み、前記密封板２２の右端が前記密封チャンバ２１の前後内壁の間に回転できるように連結され、前記密封板２２の中には流動チャンバ２３が設けられ、前記流動チャンバ２３の下壁には下方に開口した通気孔２４が連通するように設けられ、前記密封チャンバ２１の下壁の右端には前記流動チャンバ２３と連通している管２５が連通するように設けられ、前記密封板２２の回転軸の軸芯の下端には下方に開口した引っ掛かり溝２６が設けられ、前記密封チャンバ２１の下壁には前記引っ掛かり溝２６に対応している引っ掛かりロッドチャンバ２７が連通するように設けられ、前記引っ掛かりロッドチャンバ２７の中には引っ掛かりロッド２８がスライドできるように設けられ、前記引っ掛かりロッド２８の下端と前記引っ掛かりロッドチャンバ２７の下壁との間には引張バネ２９が固定的に連結され、前記引っ掛かりロッド２８の下端には左方に開口した凹溝３０が設けられ、前記引っ掛かりロッドチャンバ２７の左側には前記管２５を貫いた押しロッドチャンバ３１が連通するように設けられ、前記押しロッドチャンバ３１の中には前記管２５を貫いた押しロッド３２がスライドできるように設けられ、前記押しロッド３２の中には抜き穴３３が上下に貫通するように設けられ、前記押しロッド３２の左側には前記押しロッドチャンバ３１の中で回転できるカム３４が当接するように設けられ、
前記押しロッド３２を右に移動して前記抜き穴３３と前記管２５とを連通し、前記引っ掛かりロッド２８が上へ移動し前記引っ掛かり溝２６の中に入る。
【００１４】
有益的には、前記吸気装置１０３は前記加熱チャンバ１６の下側に設けられた切り替えチャンバ３５を含み、前記吸気管１９が前記切り替えチャンバ３５の左壁に連通しており、前記管２５が前記切り替えチャンバ３５の右壁に連通しており、前記切り替えチャンバ３５の中には回転ブロック３６が回転できるように設けられ、前記回転ブロック３６の中にはタービンチャンバ３７が設けられ、前記タービンチャンバ３７の右壁の中には動力モーター３８が固定的に設けられ、前記動力モーター３８の左端には回転軸３９が伝動できるように連結され、前記回転軸３９にはタービン羽根４０が固定的に設けられ、前記タービンチャンバ３７の下側には前記吸気管１９又は前記管２５と連通することができる下通路４１が連通するように設けられ、前記回転ブロック３６の上端には回転柱４２が固定的に連結され、前記回転柱４２の上端が前記回転筒１５の下端に固定的に連結され、前記回転柱４２には前記加熱チャンバ１６と前記タービンチャンバ３７とを連通した上通路４３が上下に貫通するように設けられ、前記回転柱４２の外円周面には平歯リング４４が固定的に設けられ、
前記回転柱４２が回転し前記回転筒１５と前記回転ブロック３６とを回転連動させ、前記吸気孔１８の密封状態と前記下通路４１の連通状態を切り替える。
【００１５】
有益的には、前記制御装置１０４は前記切り替えチャンバ３５のうち上側内壁に近接した右壁の中に連通するように設けられた制御チャンバ４５を含み、前記制御チャンバ４５の下壁の中には制御モーター４６が固定的に設けられ、前記制御モーター４６の上端には前記平歯リング４４と噛合した駆動平歯車４７が伝動できるように連結され、前記駆動平歯車４７の右端には従動平歯車４８が噛合できるように設けられ、前記従動平歯車４８の下端には伝動軸４９が固定的に連結され、前記伝動軸４９の下端が前記カム３４の軸芯のところに固定的に連結され、
前記制御モーター４６により前記回転ブロック３６と、前記回転筒１５と、前記カム３４とを制御する。
【００１６】
初期状態では、下通路４１と吸気管１９とが連通しており、密封板２２が密封チャンバ２１を密封している。
【００１７】
保温する時、密封板２２を反転させて開け、物を保存チャンバ１３の中に置き、密封板２２を密封し、動力モーター３８を始動し回転軸３９を回転連動させ、タービン羽根４０を快速に回転連動させ、この時空きチャンバ１２の中の気体が吸気孔１８と、吸気管１９と、下通路４１とを経由して吸い出され、吸気孔１８の中が真空になり、この時制御モーター４６が始動し駆動平歯車４７を回転連動させ、歯車噛合により平歯リング４４と従動平歯車４８とを回転連動させ、平歯リング４４が回転柱４２により回転筒１５と回転ブロック３６とを百八十度に回転連動させ、この時吸気孔１８の下側が密封され、下通路４１と管２５とが連通し、この時従動平歯車４８が伝動軸４９によりカム３４を回転連動させ、且つ押しロッド３２を押し動かし右に移動させ、この時抜き穴３３と管２５とが連通し、押しロッド３２の右端が凹溝３０の中にスライドし、且つ引っ掛かりロッド２８を上昇連動させ、引っ掛かりロッド２８の上端が引っ掛かり溝２６に伸びて引っ掛かり、この時動力モーター３８が始動しタービン羽根４０を回転連動させ、加熱板１７により加熱し、保存チャンバ１３の中の空気に対し熱循環を行い、密封板２２がまだ密封されていない場合は循環装置１０２を起動できない。
【００１８】
本発明の有益効果は：本発明は構造が簡単で操作が便利であり、まず本装置によって壁の中を真空状態にし、同時に加熱により温度制御と保温とを行うことができ、熱の流出を減少し、エネルギーの浪費を減少し、保温効果も良い。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。